(57)【要約】【課題】天板の高さ位置を容易に変更可能な机を提供する。【解決手段】フレーム体２と、フレーム体２に取り付けられる矩形状の平板３１，３２，３３とから構成される直方体形状の机１であって、平板３１，３２，３３が互いに隣接関係にある。【選択図】図１
2020065681.tif 000002
【特許請求の範囲】
【請求項１】
フレーム体と、前記フレーム体に取り付けられる矩形状の平板とから構成される直方体形状の机であって、
少なくとも２枚の前記平板が互いに隣接関係にあることを特徴とする机。
【請求項２】
３枚の前記平板が互いに隣接関係にあり、
前記平板が配置されない部分の前記フレーム体の一部に該フレーム体が存在しない不連続部が形成されていることを特徴とする請求項１に記載の机。
【請求項３】
前記不連続部は、前記フレーム体の長手方向に形成されていることを特徴とする請求項２に記載の机。
【請求項４】
前記フレーム体には、前記平板の辺が隣接しない該フレーム体の角部から延びる脚が設けられていることを特徴とする請求項１ないし３のいずれかに記載の机。
【請求項５】
前記平板と前記フレーム体の側縁が面一となっていることを特徴とする請求項１ないし４のいずれかに記載の机。
【請求項６】
隣接する前記平板の辺は、留め継ぎされていることを特徴とする請求項１ないし５のいずれかに記載の机。
【請求項７】
少なくとも１枚の前記平板は、短辺と長辺の長さの比が１：２であることを特徴とする請求項１ないし６のいずれかに記載の机。
【発明の詳細な説明】
【技術分野】
【０００１】
本発明は、天板の高さ位置を変更可能な机に関する。
【背景技術】
【０００２】
学校や講堂、会議室等において、フレーム体の上部に天板（平板）が取り付けられた机が使用されており、使用者の身長や用途に応じて天板の高さ位置を変更できるようにしたものが知られている。
【０００３】
このような机として、例えば特許文献１の机は、高さの異なる２種類以上の脚部材（フレーム体）と、これらの脚部材の上部に共通で着脱可能な接続構造を有する天板（平板）とを備え、天板が取り付けられる脚部材を選択することにより、天板の高さ位置を変更できるようになっている。
【先行技術文献】
【特許文献】
【０００４】
【特許文献１】特開２０１７−５４２号公報（第５頁、第１図）
【発明の概要】
【発明が解決しようとする課題】
【０００５】
しかしながら、特許文献１に示される机は、天板が取り付けられる脚部材を選択することにより、使用者の身長や用途に応じて天板の高さ位置を変更することができるが、一枚の天板に対して高さの異なる脚部材を複数種類用意しなければならず、使用者の身長や用途が変わる度に天板の付け替え作業を行わなければならないという問題があった。
【０００６】
本発明は、このような問題点に着目してなされたもので、天板の高さ位置を容易に変更可能な机を提供することを目的とする。
【課題を解決するための手段】
【０００７】
前記課題を解決するために、本発明の机は、
フレーム体と、前記フレーム体に取り付けられる矩形状の平板とから構成される直方体形状の机であって、
少なくとも２枚の前記平板が互いに隣接関係にあることを特徴としている。
この特徴によれば、直方体形状の机の立設状態に応じてフレーム体の上部に配置される平板を天板として利用することができるため、机の立設状態を選択することにより天板の高さ位置を容易に変更することができる。
【０００８】
３枚の前記平板が互いに隣接関係にあり、
前記平板が配置されない部分の前記フレーム体の一部に該フレーム体が存在しない不連続部が形成されていることを特徴としている。
この特徴によれば、平板が配置されない部分のフレーム体に不連続部が形成されることにより、天板の下方空間に使用者の足を入れやすくなる。
【０００９】
前記不連続部は、前記フレーム体の長手方向に形成されていることを特徴としている。
この特徴によれば、フレーム体の不連続部による開放空間の開口面積が大きくなるため、天板の下方空間に使用者の足をより入れやすくなる。
【００１０】
前記フレーム体には、前記平板の辺が隣接しない該フレーム体の角部から延びる脚が設けられていることを特徴としている。
この特徴によれば、机の立設状態における荷重を脚によりバランスよく支持することができる。
【００１１】
前記平板と前記フレーム体の側縁が面一となっていることを特徴としている。
この特徴によれば、平板とフレーム体の側縁と面一となっているため、机を安定して立設させることができる。
【００１２】
隣接する前記平板の辺は、留め継ぎされていることを特徴としている。
この特徴によれば、平板の継目がなくなるため、見栄えが良い。
【００１３】
少なくとも１枚の前記平板は、短辺と長辺の長さの比が１：２であることを特徴としている。
この特徴によれば、１台の机の平板の長辺に２台の机の平板の短辺を突き合わせるように並べることにより、３台の机により矩形の天板を構成することができる。
【図面の簡単な説明】
【００１４】
【図１】本発明の実施例１における机の第１立設状態を示す斜視図である。
【図２】実施例１における机（第１立設状態）の構造を示す分解斜視図である。
【図３】（ａ）は、実施例１における机（第１立設状態）の構造を示す上面図であり、（ｂ）は、（ａ）におけるＡ矢視の側面図であり、（ｃ）は、（ａ）におけるＢ矢視の側面図である。
【図４】実施例１のフレーム体に設けられる脚の接続構造を示す斜視図である。
【図５】（ａ）は、実施例における机の第２立設状態を示す斜視図であり、（ｂ）は、実施例１における机の第３立設状態を示す斜視図である。
【図６】（ａ）は、実施例１における第１立設状態の２台の机を突き合わせた様子を示す斜視図であり、（ｂ）は、同じく上面図である。
【図７】（ａ）は、実施例１における第２立設状態の３台の机を突き合わせた様子を示す斜視図であり、（ｂ）は、同じく上面図である。
【図８】（ａ）は、実施例１における第３立設状態の４台の机を突き合わせた様子を示す斜視図であり、（ｂ）は、同じく上面図である。
【図９】本発明の実施例２における机（第１立設状態）の構造を示す分解斜視図である。
【発明を実施するための形態】
【００１５】
本発明に係る机を実施するための形態を実施例に基づいて以下に説明する。
【実施例１】
【００１６】
実施例１に係る机につき、図１から図８を参照して説明する。以下、図３（ａ）の紙面下側を机の正面側（前方側）とし、その前方側から見たときの上下左右方向を基準として説明する。
【００１７】
図１に示されるように、机１は、学校や講堂、会議室等において使用され、使用者の身長や用途に応じて天板の高さ位置を変更できるものである。尚、本実施例１における天板とは、机１の立設状態において外表面が鉛直上方を向くように配置される平板のことを意味しており、図１においては、平板３１が天板に相当する。
【００１８】
図１および図２に示されるように、机１は、フレーム体２と、フレーム体２に対してそれぞれ複数のビス１０により固定される３枚の平板３１，３２，３３と、から主に構成され、略直方体形状を成している。尚、本実施例１において、机１は、平板３１，３２，３３が配置される部分における３つの面と、平板３１，３２，３３が配置されない部分における３つの仮想面とを合わせた６面により略直方体形状を成している。
【００１９】
図２および図３に示されるように、平板３１，３１，３２は、厚さ１０〜３０ｍｍ程度の杉材等の長方形状の木製板から成り、平板３１は、外表面の寸法が６００×８００ｍｍ（短辺と長辺の比が３：４）、平板３２は、外表面の寸法が４００×８００ｍｍ（短辺と長辺の比が１：２）、平板３３は、外表面の寸法が４００×６００ｍｍ（短辺と長辺の比が２：３）に形成されている。
【００２０】
また、平板３１，３２，３３は、互いに隣接関係となるように配置されており、平板３１，３２，３３の隣接する辺を構成する各側縁が略４５度傾斜加工されることにより、平板３１，３２，３３の隣接する辺が留め継ぎされている。尚、本実施例１における平板の隣接関係とは、略直方体形状の机１における６面の内、隣接する面に平板が配置される位置関係のことを意味している。
【００２１】
図２および図３に示されるように、フレーム体２は、アルミニウム等の金属から成る断面長方形かつ直線状の枠杆２４，２５，２６，２７，２８，２９の両端を溶接により接続させることにより一体に形成されている。また、フレーム体２には、枠杆２４，２５の接続部分、すなわち平板３２，３３の辺が隣接しない角部２ａから枠杆２７，２９と平行に延びる断面正方形の補強杆２ｂが溶接により固定されており、この補強杆２ｂに対して角柱形状の脚２０が挿嵌・固定されている（図４参照）。これにより、フレーム体２には、略直方体形状の机１における６面に対応する位置に枠杆２４，２５，２６，２７，２８，２９または脚２０によりそれぞれ枠部が形成される。
【００２２】
図２に示されるように、フレーム体２に形成される枠部の内、枠杆２４，２５により形成されるＬ字状の第１枠部２１には平板３１が固定され、枠杆２６，２７より形成されるＬ字状の第２枠部２２には平板３２が固定され、枠杆２８，２９により形成されるＬ字状の第３枠部２３には平板３３が固定されている。尚、平板３１，３２，３３は、その裏面を第１枠部２１、第２枠部２２、第３枠部２３を構成する枠杆２４，２５，２６，２７，２８，２９における幅広の面にそれぞれ当接させた状態で複数のビス１０により固定されているため、フレーム体２に対する平板３１，３２，３３の固定強度が高められている。
【００２３】
また、フレーム体２に形成される枠部の内、平板３１，３２，３３が配置されない部分は、枠杆２４，２９および脚２０により形成されるコ字状の第４枠部３４（図１および図５（ｂ）参照）と、枠杆２５，２７および脚２０により形成されるコ字状の第５枠部３５（図１および図５（ａ）参照）と、枠杆２６，２８により形成されるＬ字状の第６枠部３６（図５（ａ）および図５（ｂ）参照）を構成している。尚、平板３１，３２，３３が配置されないフレーム体２の開放空間としての第４枠部３４、第５枠部３５、第６枠部３６には、枠杆２６，２７，２８，２９と脚２０が接続されない、すなわちフレーム体２が存在しない不連続部が形成されており、この不連続部がフレーム体２の長手方向に形成されることにより、第４枠部３４、第５枠部３５、第６枠部３６の開口面積を大きく確保することができる。さらに尚、第４枠部３４、第５枠部３５、第６枠部３６の図における矢印の矢じりによる表示は、各枠部における床側の辺の略中央の位置を指している。
【００２４】
また、図１〜図３に示されるように、第４枠部３４におけるフレーム体２の側縁を形成している枠杆２４，２９の正面側の面および脚２０の正面側の面と、平板３１，３３の正面側の面（側縁）は、面一となっている。詳細には、図３に示されるように、第４枠部３４におけるフレーム体２の側縁を形成している枠杆２４，２９の幅狭の面および脚２０の側面と、平板３１，３３の隣接しない辺の側縁とは面一となっている。また、第５枠部３５におけるフレーム体２の側縁を形成している枠杆２５，２７の幅狭の面および脚２０の側面と、平板３１，３２の隣接しない辺の側縁とは面一となっている。また、第６枠部３６におけるフレーム体２の側縁を形成している枠杆２６，２８の幅狭の面と、平板３２，３３の隣接しない辺の側縁と、脚２０の先端とは面一となっている。
【００２５】
次いで、机１の使用方法について説明する。机１は、使用者の身長や用途に応じて机１を倒し、平板３１が天板となる第１立設状態（図１参照）と、平板３２が天板となる第２立設状態（図５（ａ）参照）と、平板３３が天板となる第３立設状態（図５（ｂ）参照）とに切り換えることができる。
【００２６】
図１に示されるように、机１の第１立設状態においては、天板となる平板３１と対向するフレーム体２の第６枠部３６側（図５参照）が床に対する支持部分となり、平板３２，３３とそれぞれ対向する第４枠部３４および第５枠部３５が机１の側方に開放している。このとき、天板となる平板３１の高さ位置は、平板３２，３３の短辺寸法である高さ４００ｍｍとなっている。また、脚２０は、角部２ａ（図２〜４参照）から上下方向に延び、その先端が床に接するので、フレーム体２とともに机１の荷重をバランスよく支持することができるようになっている。
【００２７】
図５（ａ）に示されるように、机１の第２立設状態においては、天板となる平板３２と対向するフレーム体２の第４枠部３４側（図５（ｂ）参照）が床に対する支持部分となり、平板３１，３３とそれぞれ対向する第５枠部３５および第６枠部３６が机１の側方に開放している。このとき、天板となる平板３２の高さ位置は、平板３１の短辺寸法および平板３３の長辺寸法である高さ６００ｍｍとなっている。尚、脚２０は、角部２ａから床に沿って第５枠部３５側に延び、その側面によりフレーム体２とともに机１の荷重をバランスよく支持することができる。
【００２８】
図５（ｂ）に示されるように、机１の第３立設状態においては、天板となる平板３３と対向するフレーム体２の第５枠部３５側（図５（ａ）参照）が床に対する支持部分となり、平板３１，３２とそれぞれ対向する第４枠部３４および第６枠部３６が机１の側方に開放している。このとき、天板となる平板３３の高さ位置は、平板３１，３２の長辺寸法である高さ８００ｍｍとなっている。尚、脚２０は、角部２ａから床に沿って第４枠部３４側に延び、その側面によりフレーム体２とともに机１の荷重をバランスよく支持することができる。
【００２９】
これによれば、略直方体形状の机１の立設状態に応じてフレーム体２の上部に配置される平板３１，３２，３３のいずれかを天板として利用することができるため、机１の立設状態を選択することにより天板の高さ位置を容易に変更することができる。
【００３０】
また、３枚の平板３１，３２，３３が互いに隣接関係にあり、平板３１，３２，３３が配置されない部分（第４枠部３４、第５枠部３５、第６枠部３６）のフレーム体２の一部に該フレーム体２が存在しない不連続部が形成されているため、天板の下方空間に使用者の足や椅子等を入れやすくなっている。さらに、不連続部は、フレーム体２の長手方向に形成されていることにより、フレーム体２の不連続部による開放空間としての第４枠部３４、第５枠部３５、第６枠部３６の開口面積が大きくなるため、天板の下方空間に使用者の足や椅子等をより入れやすくなっている。
【００３１】
また、机１の各立設状態において床に対する支持部分となるフレーム体２の側縁と平板３１，３２，３３の隣接しない辺の側縁とは面一となっているため、机１を安定して立設させることができる。さらに、机１の各立設状態において平板３１，３２，３３の外表面が床に接触することがないため、平板３１，３２，３３の外表面の傷つき等を防止することができる。
【００３２】
また、平板３１，３２，３３の隣接する辺は留め継ぎされており、平板３１，３２，３３の継目がなくなるため、見栄えが良く、かつ天板の表面に凹凸が形成されないため、作業を行いやすい。
【００３３】
次いで、複数の机１を使用する場合の例について説明する。図６に示されるように、第１立設状態の２台の机１Ａ，１Ｂについて、天板となる机１Ａ，１Ｂの平板３１，３１を平板３２と隣接する側の長辺同士を突き合わせるように並べることにより、組み合わせた天板の寸法が８００×１２００ｍｍの矩形となり、模造紙等の四六判（７８８×１０９１ｍｍ）の用紙を広げて作業を行いやすくなっている。また、机１Ａ，１Ｂの側方にそれぞれ開放する第４枠部３４および第５枠部３５から天板の下方空間に使用者の足や椅子等をそれぞれ入れやすくなっている。
【００３４】
また、図７に示されるように、第２立設状態の３台の机１Ａ，１Ｂ，１Ｃについて、天板となる机１Ａ，１Ｂの平板３２，３２を平板３１と隣接する側の長辺同士を突き合わせるように並べた状態で、同じく天板となる机１Ｃの平板３２の平板３１と隣接する側の長辺に、机１Ａ，１Ｂの平板３２，３２の短辺をそれぞれ突き合わせるように並べることにより、組み合わせた天板の寸法が８００×１２００ｍｍの矩形となり、模造紙等の四六判の用紙を広げて作業を行いやすくなっている。また、机１Ａ，１Ｂ，１Ｃの側方にそれぞれ開放する第６枠部３６から天板の下方空間に使用者の足や椅子等をそれぞれ入れやすくなっている。
【００３５】
また、図８に示されるように、第３立設状態の４台の机１Ａ，１Ｂ，１Ｃ，１Ｄについて、天板となる机１Ａ，１Ｂおよび机１Ｃ，１Ｄの平板３３，３３を平板３１と隣接する側の長辺同士を突き合わせるように並べた状態で、机１Ａ，１Ｂおよび机１Ｃ，１Ｄの平板３３，３３の短辺同士を突き合わせるように並べることにより、組み合わせた天板の寸法が８００×１２００ｍｍの矩形となり、模造紙等の四六判の用紙を広げて作業を行いやすくなっている。また、机１Ａ，１Ｂ，１Ｃ，１Ｄの側方にそれぞれ開放する第６枠部３６から天板の下方空間に使用者の足や椅子等をそれぞれ入れやすくなっている。
【実施例２】
【００３６】
次に、実施例２における机につき、図９を参照して説明する。尚、前記実施例に示される構成部分と同一構成部分については同一符号を付して重複する説明を省略する。
【００３７】
実施例２における机１０１について説明する。図９に示されるように、机１０１におけるフレーム体１０２は、アルミニウム等の金属から成る断面正方形かつ直線状の枠杆２２１，２２２，２２３，２２４，２２５，２２６，２２７，２２８，２２９の両端を溶接により互いに接続させることにより一体に形成されている。フレーム体２に形成される枠部の内、枠杆２２１，２２２，２２３，２２４により形成される矩形状の第１枠部１２１には平板２３１が固定され、枠杆２２３，２２５，２２６，２２７より形成される矩形状の第２枠部１２２には平板２３２が固定され、枠杆２２４，２２７，２２８，２２９により形成される矩形状の第３枠部１２３には平板２３３が固定されている。尚、平板２３１，２３２，２３３は、その裏面を第１枠部１２１、第２枠部１２２、第３枠部１２３を構成する枠杆２２１，２２２，２２３，２２４，２２５，２２６，２２７，２２８，２２９の外側の面にそれぞれ当接させた状態で、当該枠杆２２１，２２２，２２３，２２４，２２５，２２６，２２７，２２８，２２９の外側の面と面一になるように各接続部分に形成される扇形状のビス止めプレート１２０を介して複数のビス１０により固定されているため、フレーム体１０２に対する平板２３１，２３２，２３３の固定強度が高められている。さらに尚、平板２３１，２３２，２３３の隣接する辺は、一方の平板（例えば平板２３１）の裏面に対して他方の平板（例えば平板２３２，２３３）の側縁を当接させることで継がれていている。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、フレーム体に３枚の平板が固定される態様について説明したが、これに限らず、平板が隣接関係であればフレーム体に固定される平板は２枚であってもよい。尚、フレーム体に固定される平板は４枚以上であってもよいが、この場合、机の立設状態を変更したときにいずれかの平板の外表面が床に対する支持部分となってしまうことから、フレーム体に固定される平板は２枚または３枚であることが好ましい。
【００４０】
また、前記実施例では、フレーム体に形成される１つの枠部に対して１枚の平板が固定される態様について説明したが、これに限らず、フレーム体の１つの枠部に複数枚の平板が固定されてもよい。また、フレーム体の枠部が平板により完全に塞がれる必要はなく、フレーム体と平板との間に隙間が形成されていてもよい。
【００４１】
また、実施例１では、隣接関係である平板３１，３２，３３は、隣接する辺が留め継ぎされることにより互いに当接している態様について説明したが、これに限らず、実施例２のように、平板の隣接する辺は、一方の平板の裏面に対して他方の平板の側縁を当接させることで継がれていてもよく、留め継ぎと組み合わせて継がれていてもよい。さらに、平板の隣接する辺は、離間していてもよい。尚、これらの場合、隣接関係である平板の厚みが異なっていてもよい。
【００４２】
また、前記実施例では、フレーム体の側縁と平板の隣接しない辺の側縁とが面一となっている態様について説明したが、これに限らず、平板の側縁とフレーム体の側縁とが段差状になっていてもよく、例えばフレーム体の側縁を平板の側縁とよりも突出させることにより、平板の側縁の傷つきや破損を防止できるようにしてもよい。
【００４３】
また、平板は、木製板に限らず、樹脂製板や金属板等であっても良い。また、平板の厚み、外表面の寸法、短辺と長辺の比は自由に構成されてよいが、机の立設状態に応じて高さがそれぞれ異なるように構成されることが好ましい。
【００４４】
また、フレーム体は、金属製に限らず、木製や高強度の樹脂等であってもいい。
【００４５】
また、フレーム体には、平板が配置されない部分に不連続部が形成されていなくてもよい。
【符号の説明】
【００４６】
１，１Ａ〜１Ｄ    机
２                フレーム体
２ａ              角部
２ｂ              補強杆
２０              脚
２１              第１枠部
２２              第２枠部
２３              第３枠部
２４〜２９        枠杆
３１，３２，３３  平板
３４              第４枠部
３５              第５枠部
３６              第６枠部
１０１            机
１０２            フレーム体
１２０            ビス止めプレート
【図１】
2020065681.tif 000003
【図２】
2020065681.tif 000004
【図３】
2020065681.tif 000005
【図４】
2020065681.tif 000006
【図５】
2020065681.tif 000007
【図６】
2020065681.tif 000008
【図７】
2020065681.tif 000009
【図８】
2020065681.tif 000010
【図９】
2020065681.tif 000011